(57)【要約】【課題】  データ放送で使用することがきる操作キーを表示することができるデータ放送受信装置を提供することを目的とする。【解決手段】  本発明に係るデータ放送受信装置（１０）では、表示手段（６０）と、データ放送に含まれるデータからコンテンツ記述文書を分離するための分離手段（２２）と、コンテンツ記述文書に記載される操作キー情報に基づいてリモコンが有する複数の操作キーの内データ放送で使用することができる操作キーを特定する特定手段（２９）と、特定された操作キーを使用することができない操作キーと区別して表示手段に表示する表示制御手段（２５）とを有することを特徴とする。【選択図】      図１
2005217473.tif 000002
【特許請求の範囲】
【請求項１】
複数の操作キーを有するリモコンによって操作されるデータ放送受信装置であって、
表示手段と、
データ放送に含まれるデータからコンテンツ記述文書を分離するための分離手段と、
前記コンテンツ記述文書に記載される操作キー情報に基づいて、前記リモコンが有する複数の操作キーの内、データ放送で使用することができる操作キーを特定する特定手段と、
前記特定された操作キーを、使用することができない操作キーと区別して前記表示手段に表示する表示制御手段とを有することを特徴とするデータ放送受信装置。
【請求項２】
前記特定手段は、キー操作アクションに記載され且つユーズドキーリストに記載された操作キーを、データ放送で使用することができる操作キーとして特定する請求項１に記載のデータ放送受信装置。
【請求項３】
前記表示制御手段は、前記特定された操作キーのみを表示する請求項１又は２に記載のデータ放送受信装置。
【請求項４】
前記表示制御手段は、前記特定された操作キーを、使用することができない操作キーと区別して複数画面に渡って前記表示装置に表示し、且つ前記複数画面中に前記特定された操作キーが存在しない画面が存在する場合には、当該画面を表示しないように制御する請求項１に記載のデータ放送受信装置。
【請求項５】
前記表示制御手段は、前記特定された操作キーを、使用することができない操作キーと区別して複数画面に渡って前記表示装置に表示し、且つ前記複数画面に渡って存在する前記特定された操作キーを１画面に編集して表示するように制御する請求項１に記載のデータ放送受信装置。
【請求項６】
複数の操作キーを有するリモコンによって操作されるデータ放送受信装置であって、
表示手段と、
データ放送に含まれるデータからコンテンツ記述文書を分離するための分離手段と、
前記コンテンツ記述文書に記載されており、前記データに含まれる映像を構成するコンテンツに設定されている操作キー情報に基づいて、前記リモコンが有する複数の操作キーの内、前記コンテンツがフォーカスされた場合に使用することができる操作キーを特定する特定手段と、
前記コンテンツがフォーカスされた場合に、前記特定された操作キーを、使用することができない操作キーと区別して前記表示手段に表示する表示制御手段とを有することを特徴とするデータ放送受信装置。
【請求項７】
前記特定手段は、キー操作アクションに記載され且つユーズドキーリストに記載された操作キーを、データ放送で使用することができる操作キーとして特定する請求項６に記載のデータ放送受信装置。
【請求項８】
前記表示制御手段は、前記特定された操作キーのみを表示する請求項６又は７に記載のデータ放送受信装置。
【請求項９】
前記コンテンツは、インプット要素である請求項６〜８の何れか一項に記載のデータ放送受信装置。
【請求項１０】
前記表示制御手段は、前記データ取得中に操作することができない操作キーを識別可能に表示する請求項１〜９の何れか一項に記載のデータ放送受信装置。
【請求項１１】
前記表示制御手段は、前記データ取得中に操作することができる操作キーのみを表示する請求項１〜９の何れか一項に記載のデータ放送受信装置。
【請求項１２】
前記表示制御手段は、前記データ取得中は、前記リモコンが操作できないことを表示する請求項１〜９の何れか一項に記載のデータ放送受信装置。
【請求項１３】
さらに、前記データに含まれる映像を前記表示手段に表示するための提示処理手段を有し、
前記表示制御手段は、前記提示処理手段による処理中に操作することができない操作キーを識別可能に表示する請求項１〜１２の何れか一項に記載のデータ放送受信装置。
【請求項１４】
さらに、前記データに含まれる映像を前記表示手段に表示するための提示処理手段を有し、
前記表示制御手段は、前記提示処理手段による処理中に操作することができる操作キーのみを表示する請求項１〜１２の何れか一項に記載のデータ放送受信装置。
【請求項１５】
さらに、前記データに含まれる映像を前記表示手段に表示するための提示処理手段を有し、
前記表示制御手段は、前記提示処理手段による処理中は前記リモコンが操作できないことを表示する請求項１〜１２の何れか一項に記載のデータ放送受信装置。
【発明の詳細な説明】
【技術分野】
【０００１】
本発明は、データ放送受信機において、データ放送で使用することができるリモコンの操作キーを表示する方法に関するものである。
【背景技術】
【０００２】
デジタルデータを受信することができるデータ放送受信機では、様々なデータ放送を視聴することが可能であるが、データ放送における各コンテンツ画面において使用することができるリモコン上の操作キーが予め設定されている。即ち、データ放送のコンテンツ画面毎に使用することができる操作キーが異なる場合がある。
【０００３】
これに対して、リモコン自体には、様々な状況に対応するために、多種多様の操作キーを予め具える必要がある
例えば、データ放送におけるコンテンツ画面において、カーソルが移動可能な位置の輝度を高めたり、色度差をつけたり、点滅させたりして、ユーザに注意を与え、キー操作の簡便化を図ることが知られている（例えば、特許文献１）。
【０００４】
しかしながら、ユーザは、カーソルが移動可能な位置を知ることができても、提示中の画面を見ただけでは、その画面で使用することができる操作キーを全て知ることはできず、リモコン操作に戸惑うことがあった。
【０００５】
【特許文献１】特開２００３−３０５６９６号公報
【発明の開示】
【発明が解決しようとする課題】
【０００６】
そこで、本発明は、データ放送で使用することがきる操作キーを表示することができるデータ放送操作表示方法を提供することを目的とする。
【課題を解決するための手段】
【０００７】
上記課題を解決するために、本発明に係るデータ放送受信装置では、表示手段と、データ放送に含まれるデータからコンテンツ記述文書を分離するための分離手段と、コンテンツ記述文書に記載される操作キー情報に基づいてリモコンが有する複数の操作キーの内データ放送で使用することができる操作キーを特定する特定手段と、特定された操作キーを使用することができない操作キーと区別して表示手段に表示する表示制御手段とを有することを特徴とする。
【０００８】
また、上記課題を解決するために、本発明に係るデータ放送受信装置では、表示手段と、データ放送に含まれるデータからコンテンツ記述文書を分離するための分離手段と、コンテンツ記述文書に記載されておりデータに含まれる映像を構成するコンテンツに設定されている操作キー情報に基づいてリモコンが有する複数の操作キーの内コンテンツがフォーカスされた場合に使用することができる操作キーを特定する特定手段と、コンテンツがフォーカスされた場合に特定された操作キーを使用することができない操作キーと区別して表示手段に表示する表示制御手段とを有することを特徴とする。
【０００９】
さらに、表示制御手段は、特定された操作キーのみを表示することが好ましい。
【００１０】
さらに、表示制御手段は、特定された操作キーを、使用することができない操作キーと区別して複数画面に渡って表示装置に表示し、且つ複数画面中に特定された操作キーが存在しない画面が存在する場合には、当該画面を表示しないように制御することが好ましい。
【００１１】
さらに、表示制御手段は、特定された操作キーを、使用することができない操作キーと区別して複数画面に渡って表示装置に表示し、且つ複数画面に渡って存在する特定された操作キーを１画面に編集して表示するように制御することが好ましい。
【００１２】
さらに、表示制御手段は、データ取得中は、操作することができない操作キーを淡色表示すること、操作することができる操作キーを強調表示すること、操作することができる操作キーのみを表示すること、又はリモコンが操作できないことを表示することが好ましい。
【００１３】
さらに、データに含まれる映像を表示手段に表示するための提示処理手段を有し、表示制御手段は、提示処理手段による処理中は、操作することができない操作キーを淡色表示すること、操作することができる操作キーを強調表示すること、操作することができる操作キーのみを表示すること、又はリモコンが操作できないことを表示することが好ましい。
【００１４】
例えば、操作キー情報は、キー操作アクション及び／又はユーズドキーリストであることが好ましい。
【００１５】
例えば、表示制御手段は、使用することができない操作キーを淡色表示することが好ましい。
【００１６】
例えば、表示制御手段は、特定された操作キーを強調表示することが好ましい。
【発明の効果】
【００１７】
本発明によれば、コンテンツ記述文書（ＢＭＬ文書等）に記載される操作キー情報に基づいて、使用することができるリモコンの操作キーを表示するように構成したので、ユーザがリモコンのキー操作を迷うことを防止することが可能となる。
【００１８】
また、本発明によれば、コンテンツ記述文書（ＢＭＬ文書等）に記載される操作キー情報に基づいて、コンテンツ（インプット要素を含む）にフォーカスされた場合に、その状態で使用することができるリモコンの操作キーを表示するように構成したので、ユーザがリモコンのキー操作を迷うことを防止することが可能となる。
【発明を実施するための最良の形態】
【００１９】
以下図面を参照して、本発明に係るデータ放送操作表示方法及び表示装置について説明する。
【００２０】
図１は、本発明に係わるデータ放送受信機１０の概要を示すブロック図である。データ放送受信機１０は、チューナ部２０、復調部２１、ＴＳデコード部２２、音声デコード部２３、映像デコード部２４、提示処理部２５、Ｉ／Ｏ２６、ＲＡＭ２７、ＲＯＭ２８、ＣＰＵ２９、及びシステムバス３０等から構成され、アンテナ４０、スピーカ５０及び車載用のディスプレイ６０と接続され、リモコン７０によって操作される。
【００２１】
アンテナ４０で受信した受信放送波から、チューナ部２０によって視聴者が選択した搬送波が選択される。チューナ部２０によって選択された搬送波は、復調部２１においてデジタルデータに復調される。復調されたデジタルデータは、ＴＳデコーダ２２へ送られ、音声信号、映像信号及びＢＭＬ（Broadcast Makeup language）文書を含むデータに分離される。
【００２２】
分離された音声データは、音声デコード部２３に送られ、アナログ信号に変換後、スピーカ５０から出力される。
【００２３】
また、分離された映像データは、映像デコード部２４に送られ、所定のフォーマットの映像信号に変換されて提示処理部２５へ送られる。
【００２４】
さらに、ＴＳデコード部２２で分離されたＢＭＬ記述言語で記述されたＢＭＬ文書は、一旦主メモリであるＲＡＭ２７に記憶される。ＣＰＵ２９は、ＲＯＭ２８に格納されているソフトウエアにしたがって動作し、ＢＭＬ文書の解析を行う。さらにＣＰＵ２９は、ＢＭＬ文書の解析結果に従い、リモコン７０で使用することができる操作キーを特定して、提示処理部２５に送る。
【００２５】
提示処理部２５では、ＣＰＵ２９で特定された操作キーを、他の操作キーと区別して表示するための画面を作成し、映像デコード部２４から受信した映像信号と適宜重ね合わせてディスプレイ６０に表示する。
【００２６】
次に、データ放送受信機１０の操作を行うためのリモコン７０の一例を図２に示す。図２に示されるように、リモコン７０には、電源ボタン１０１、選局切換ボタン１０２、０〜９の数字キーから構成されるテンキー１０３、ＥＰＧキー１０４、メニューキー１０５、アップキー１０６、ダウンキー１０７、レフとキー１０８、ライトキー１０９、決定（リターン）キー１１０、チャネルアップダウンキー１１３、「ｄ」キー１１１、戻るキー１１２、映像の調整を行うための映像キー１１４、音声モードの選択を行うための音声キー１１５、字幕の位置及び言語の選択を行うための字幕キー１１６、カラーキー（青、赤、緑及び黄）１１７が配置されている。図２に示すリモコン７０は一例であって、これに限定されるものではなく、様々な変更が可能である。
【００２７】
図３に、ＴＳデコード部２２で分離したＢＭＬ文書の一例を示す。
【００２８】
図中３００は、ユーズドキーリスト(Used-key-list）に関する記述である。ユーズドキーリストは、リモコンで利用することができる操作キーの種類を示しており、図中３０１の部分では、「basic」（アップキー、ダウンキー、レフとキー、ライトキー、決定キー及び戻るキーを表す）、と「data-button」（青、赤、緑及び黄のカラーキーを表す）が利用できることを示している。ユーズドキーリストに記述されるキーの種類としては、他に「numeric-tuning」（０〜９の選局キーを表す）、「other-tuning」（チャンネルアップダウンキーを表す）などがあるが、様々な種類を表示することが可能であって、これらの限定されるものではない。
【００２９】
また図中３１０は、キー操作アクションに関する記述である。キー操作アクションは、指定されたキーを操作した場合の具体的な動作を示しており、図中３１１〜３１５では、アップキー、ダウンキー、レフとキー、ライトキー及び決定キーが押された場合の具体的な動作が記述されている。
【００３０】
図４（ａ）〜（ｃ）に図２に示したリモコン７０のキー操作を示すための元表示画面の一例を示す。操作キーを示すための元表示画面は、ディスプレイ６０の表示部の下側部分に表示できるように、３画面に分割して、リモコン７０のキー配列に合わせて、キー２０１〜２１６が表示されるように構成されている。また、上記の例では、ディスプレイ６０の表示部の下側部分に表示するものとして説明したが、上側部分、右側部分又は左側部分など多種多様な部分に表示することができる。なお、元表示画面のデータは、予めＲＯＭ２８に記憶されているものとする。
【００３１】
また、「ＯＦＦ」ボタン６１はキー操作用の表示画面を消すために、「移動」ボタン６２は、各種キを表示する画面上の位置を下側部分と上側部分で切換えるために（図４では下側部分に表示されている）、切換ボタン６３は３画面の内の一画面から他の画面に切換えるためにある。ディスプレイ６０の表面には、透明導電膜による電極が設けられており（所謂、タッチパネル）、ユーザがディスプレイ上のボタン６１〜６３の部分を押すことによって、各ボタンの動作が実行される。
【００３２】
以下、本発明に係る一実施形態における操作キーの表示方法について説明する。
【００３３】
最初に、ＴＳデコード部２２で分離されたＢＭＬ文書をＣＰＵ２９が解析し、予めＲＯＭ２８に記憶されているプログラムに従い、ユーズドキーリストの記述に基づいて操作キーを特定する。図３の例では、図中３０１の部分に記述されている「basic」（アップキー、ダウンキー、レフトキー、ライトキー、決定キー及び戻るキーを表す）及び「data-button」（青、赤、緑及び黄のカラーキーを表す）に対応する操作キーを特定する。即ち、図３のＢＭＬ文書のユーズドキーリストによれば、受信中のデータ放送では、リモコン７０の操作キーの内、アップキー１０６、ダウンキー１０７、レフトキー１０８、ライトキー１０９、決定キー１１０、戻るキー１１２、及び青、赤、緑及び黄のカラーキー１１７のみが利用できることが示されている。
【００３４】
次に、ＣＰＵ２９は、特定した操作キーに関するデータを提示処理部２５へ送信する。提示処理部２５では、特定された操作キーに応じて元表示画面を編集し、キー操作用の表示画面を作成し、適宜受信したデータ放送の映像と合成されてディスプレイ６０上に表示される。
【００３５】
ディスプレイ６０上に表示された表示画面例を図５に示す。図５（ａ）〜（ｃ）では、特定されたアップキー２０６、ダウンキー２０７、レフトキー２０８、ライトキー２０９、決定キー２１０、戻るキー２１２、及び青、赤、緑及び黄のカラーキー２１７のみを強調して表示しており、ユーザにこの操作キーのみが利用できることを示している。なお、強調表示の方法としては、強調したい操作キーのみをカラー表示したり、大きく表示したり、点滅させたりすることも可能である。
【００３６】
このように、ＢＭＬ文書に記述されたユーズドキーリストに記載されたキーのみを強調して表示するので、ユーザは現在受信しているデータ放送で利用することができるリモコン７０の操作キーを正確且つ簡易に知ることができる。
【００３７】
次に、本発明に係る他の実施形態における操作キーの表示方法について説明する。
【００３８】
前述した表示方法では、ユーズドキーリストの記述に基づいて操作キーを特定し、強調して表示するものであったが、本表示方法では、ＢＭＬ文書のキー操作アクションの記述に基づいて操作キーを特定し、強調して示すものである。
【００３９】
最初に、ＴＳデコード部２２で分離されたＢＭＬ文書をＣＰＵ２９が解析し、予めＲＯＭ２８に記憶されているプログラムに従い、キー操作アクションに記述に基づいて操作キーを特定する。図３の例では、図中３１１〜３１５の部分に記述されているアップキー、ダウンキー、レフトキー、ライトキー、及び決定キーを決定する。即ち、図３のＢＭＬ文書のキー操作アクションによれば、受信中のデータ放送では、リモコン７０のキーの内、アップキー１０６、ダウンキー１０７、レフトキー１０８、ライトキー１０９、及び決定キー１１０について、具体的な動作が定められているので、これらの操作キーのみが使用できる。
【００４０】
次に、ＣＰＵ２９は、特定した操作キーに関するデータを提示処理部２５へ送信する。提示処理部２５では、特定された操作キーに応じて元表示画面を編集し、キー操作用の表示画面を作成し、適宜受信したデータ放送の映像と合成されてディスプレイ６０上に表示される。
【００４１】
ディスプレイ６０上に表示された表示画面例を図６に示す。図６（ａ）〜（ｃ）では、特定されたアップキー２０６、ダウンキー２０７、レフトキー２０８、ライトキー２０９、及び決定キー２１０のみを強調して表示しており、ユーザにこの操作キーのみが利用できることを示している。なお、強調表示としては、強調したいキーのみをカラー表示したり、大きく表示したり、点滅させたりすることも可能である。
【００４２】
このように、ＢＭＬ文書に記述されたキー操作アクションの記述に基づいて操作キーを特定し、強調して表示するので、ユーザは現在受信しているデータ放送で利用することができるリモコン７０の操作キーを正確且つ簡易に知ることができる。
【００４３】
なお、ＢＭＬ文書のユーズドキーリストとキー操作アクションの両方の記述に基づいて操作キーを特定し、その操作キーを強調して表示する表示画面を作成しても良い。
【００４４】
次に、前述した２つの実施形態における変形例について説明する。
【００４５】
前述した２つの実施形態では、受信しているデータ放送で使用することができる操作キーのみを強調して表示するようにしたが、データ放送で使用することができない操作キーを淡色で表示することによって、使用することができる操作キーを区別しても良い。図６（ｂ）の場合において、データ放送で使用することができない操作キーを淡色表示した例を、図７に示す。図７では、使用することができない、ＥＰＧキー２０４、メニューキー２０５、「ｄ」キー２１１、戻るキー２１２及びチャンネルアップダウンキー２１３が、淡色（灰色）で表示されている。なお、灰色によって淡色表示するのは一例であって、これに限定されるわけではない。
【００４６】
また、受信しているデータ放送で使用することができる操作キーのみを表示し、その他の操作キーを表示することによって、使用することができる操作キーを区別しても良い。図６（ｂ）の場合において、データ放送で使用することができる操作キーのみを表示した例を図８に示す。図８では、選択されたアップキー２０６、ダウンキー２０７、レフトキー２０８、ライトキー２０９、及び決定キー２１０のみが表示されている。
【００４７】
さらに、図５の場合、データ放送で使用することができる操作キーは、３つの画面の内、図５（ｂ）及び図５（ｃ）の２画面のみに存在するので、切換キーで画面を切換える場合に、３画面中、２画面のみで画面が切り替わるようにしても良い。即ち、図５（ｂ）及び図５（ｃ）の画面間でのみ画面の切換えが行われる。不必要な画面を表示する必要がないからである。なお、３画面中の２画面のみを切換え表示するのは一例であって、これに限定されるものではなく、４画面中の３画面や２画面のみを切換え表示しても良い。
【００４８】
さらに、図５の場合、データ放送で使用することができる操作キーをまとめて１画面に編集して表示するようにしても良い。図５（ｂ）及び図５（ｃ）のうちデータ放送で使用することができる操作キーをまとめて１画面に編集した例を図９に示す。図９では、図５（ｂ）及び図５（ｃ）に表示されるキーの内、データ放送で使用することができるアップキー２０６、ダウンキー２０７、レフトキー２０８、ライトキー２０９、決定キー２１０、戻るキー２１２、及び青、赤、緑及び黄のカラーキー２１７のみが１画面に表示されている。
【００４９】
さらに、図５の場合、ディスプレイ６０の下側部分に３画面に分けて操作キーを表示したが、ディスプレイの全面を利用して、１画面で全ての操作キーを表示するようにしても良い。１画面で全ての操作キーを表示した例を図１０に示す。図１０の例では、データ放送で使用することができるアップキー２０６、ダウンキー２０７、レフトキー２０８、ライトキー２０９、決定キー２１０、戻るキー２１２、及び青、赤、緑及び黄のカラーキー２１７のみが強調されて表示されている。
【００５０】
次に、本発明に係る更に他の実施形態における操作キーの表示方法について説明する。
【００５１】
ここでは、データ放送によるコンテンツの各要素に設定されているナビゲーション(navigation)特性（フォーカス移動設定情報）を利用して操作キーの表示画面を作成する。
【００５２】
データ放送によるコンテンツの各要素には、ユーザの着目点（フォーカス）を動かす方向を制御するナビゲーション特性を設定することができる。各要素のナビゲーション特性は、ＢＭＬ文書に記述されているユーズドキーリストと同様に、ＴＳデコード部２２で分離されたＢＭＬ文書を解析することによって判別することができる。
【００５３】
図１１に、ナビゲーション特性１１００が記述されたＢＭＬ文書の一例を示す。図中１１０１の部分では、ｉｎｄｅｘ−０として指定されたコンテンツ（不図示）に対して、アップキー２０６がおされた場合には、ｉｎｄｅｘ−２として指定されたコンテンツ（不図示）に移動し、ダウンキー２０７が押された場合には、ｉｎｄｅｘ−１として指定されたコンテンツ（不図示）に移動することが定められている。このように、表示画面の各コンテンツに対して設定されたナビゲーション特性をＢＭＬ文書を解析することによって判断することが可能となる。
【００５４】
図１２(ａ）に、データ放送によるコンテンツのメニュー画面の一例を示す。図１２（ａ）では、ユーザがニュース、天気予報、交通情報及び地震情報の中から１つを選択することができるように設定されている。
【００５５】
図１２（ｂ）では、「天気予報」１２００にフォーカスされた場合を示している。「天気予報」１２００にフォーカスされると、ＣＰＵ２９は、予めＲＯＭ２８に記憶されているプログラムに従い、「天気予報」１２００の要素に設定されているナビゲーション特性に基づいて、使用できる操作キーを特定する。ここでは、「天気予報」１２００の要素には、ナビゲーション特性として、アップキー２０７、ダウンキー２０７及び決定キー２１０が設定されているものとする。
【００５６】
次に、ＣＰＵ２９は、特定した操作キーに関するデータを提示処理部２５へ送信する。提示処理部２５では、特定された操作キーに応じて元表示画面を編集し、キー操作用の表示画面を作成し、適宜受信したデータ放送の映像と合成されてディスプレイ６０上に表示される。
【００５７】
ディスプレイ６０上に表示された表示画面の例を図１２（ｂ）に示す。図１２（ｂ）では、「天気予報」の要素に設定されているナビゲーション特性に基づき、アップキー２０７、ダウンキー２０７及び決定キー２１０のみが表示されている。前述したように、上記の３つの操作キーのみを強調表示したり、上記３以外の操作キー以外を淡色表示したりすることもできる。
【００５８】
次に、本発明に係る更に他の実施形態における操作キーの表示方法について説明する。
【００５９】
ここでは、データ放送によるコンテンツの各要素に設定されているナビゲーション特性を利用してキー操作の表示画面を作成する他の方法について説明する。
【００６０】
図１３(ａ）に、図１２(ａ）で「天気予報」が決定キーによって決定された場合に表示される次の画面の一例を示す。図１３(ａ）に示す画面ですでは、さらに、「全国の天気」又は特定の場所の天気を知るために、その場所の「郵便番号」を入力することの何れかを選択することができる。
【００６１】
図１３（ｂ）では、インプット要素である「郵便番号」１３００にフォーカスされた場合を示している。「郵便番号」１３００にフォーカスされると、ＣＰＵ２９は、予めＲＯＭ２８に記憶されているプログラムに従い、「郵便番号」１３００の要素に設定されているナビゲーション特性に基づいて、使用できる操作キーを特定する。ここでは、「郵便番号」１３００の要素には、ナビゲーション特性として、テンキー２０３のみが設定されているものとする。
【００６２】
次に、ＣＰＵ２９は、特定した操作キーに関するデータを提示処理部２５へ送信する。提示処理部２５では、特定された操作キーに応じて元表示画面を編集し、キー操作用の表示画面を作成し、適宜受信したデータ放送の映像と合成されてディスプレイ６０上に表示される。
【００６３】
ディスプレイ６０上に表示された表示画面の例を図１３（ｂ）に示す。「郵便番号」の要素に設定されているナビゲーション特性に基づいて、テンキー２０３のみが表示されている。前述したように、テンキー２０３のみを強調表示したり、テンキー２０３以外の操作キーを淡色表示したりすることもできる。
【００６４】
次に、前述した４つの実施形態における変形例について説明する。
【００６５】
ＴＳデコード部２２がデータ放送のデータを取得している間は、通常映像を構成することができないので、上記の操作キー表示に加えて、その間に使用することができるリモコン７０の操作キーを、他の操作キーと区別して表示するようにしても良い。具体的には、前述したように、使用することができる操作キーのみを強調表示する事、使用することができない操作キーを淡色表示する事、又は使用することができる操作キーのみを表示する事が好ましい。また、ＴＳデコード部２２がデータ放送のデータを取得している間は使用することができる操作キーが存在しない場合には、リモコンの操作ができない旨の表示を行うことが好ましい。なお、この場合、ＴＳデコード部２２のデータ取得中にどの操作キーが使用できるか否かは予め定められ、ＲＯＭ２８に記憶されているものとする。
【００６６】
また、提示処理手段２５が、映像を作成又は合成するための提示処理を行っている間は、通常映像を構成することができないので、上記の操作キー表示に加えて、その間に使用することができるリモコン７０の操作キーを、他の操作キーと区別して表示するようにしても良い。具体的には、前述したように、使用することができる操作キーのみを強調表示する事、使用することができない操作キーを淡色表示する事、又は使用することができる操作キーのみを表示する事が好ましい。また、提示処理手段２５が提示処理を行っている間は使用することができる操作キーが存在しない場合には、リモコンの操作ができない旨の表示を行うことが好ましい。なお、この場合、提示処理手段２５が提示処理を行っている間にどの操作キーが使用できるか否かは予め定められ、ＲＯＭ２８に記憶されているものとする。
【図面の簡単な説明】
【００６７】
【図１】本発明に係るデータ放送受信機の構成を示すブロック図である。
【図２】本発明に使用されるリモコンの一例を示す図である。
【図３】ＢＭＬ文書の一例を示す図である。
【図４】（ａ）〜（ｃ）は、リモコンの操作キーを表示するための表示画面の一例を示す図である。
【図５】（ａ）〜（ｃ）は、データ放送で使用できる操作キーを、ユーズドキーリストに従って強調表示した例を示す図である。
【図６】（ａ）〜（ｃ）は、データ放送で使用できる操作キーを、キー操作アクションに従って強調表示した例を示す図である。
【図７】データ放送に使用できる操作キー以外を淡色表示した例を示す図である。
【図８】データ放送に使用できる操作キーのみを表示した例を示す図である。
【図９】データ放送に使用できる操作キーを一画面に編集して表示した例を示す図である。
【図１０】リモコンが有している操作キー全てを一画面に表示した例を示す図である。
【図１１】ＢＭＬ文書の一例を示す図である。
【図１２】（ａ）はデータ放送におけるコンテンツのメニュー画面の一例を示し、（ｂ）は特定の要素がフォーカスされた場合の操作キーを表示する画面の一例を示す図である。
【図１３】（ａ）はデータ放送における所定の画面の一例を示し、（ｂ）はインプット要素がフォーカスされた場合の操作キーを表示する画面の一例を示す図である。
【符号の説明】
【００６８】
１０…データ放送受信機
２２…ＴＳデコード部
２５…提示処理部
２８…ＲＯＭ
２９…ＣＰＵ
４０…アンテナ
５０…スピーカ
６０…ディスプレイ
７０…リモコン
【図１】
2005217473.tif 000003
【図２】
2005217473.tif 000004
【図３】
2005217473.tif 000005
【図４】
2005217473.tif 000006
【図５】
2005217473.tif 000007
【図６】
2005217473.tif 000008
【図７】
2005217473.tif 000009
【図８】
2005217473.tif 000010
【図９】
2005217473.tif 000011
【図１０】
2005217473.tif 000012
【図１１】
2005217473.tif 000013
【図１２】
2005217473.tif 000014
【図１３】
2005217473.tif 000015